(57)【要約】  第１の状態の時は第１ポート２６ａを第２ポート２６ｂに、第４ポート２６ｄを第３ポート２６ｃに接続するスイッチ２６を備えた光回路２１の基板２５の所定の端部２５ａに被接続部品２２を近づけ、第１の状態において、第３ポート２６ｃから伸びる出力導波路２８ｂへ光信号を入力して第４ポート２６ｄから端部２５ａ以外の端部２５ｃまで伸びる調整用導波路２９から出力される光信号の強度を計測し、計測した光信号の強度が最大となる位置を調心位置とする。
2013111562.tif 000002
【特許請求の範囲】
【請求項１】
基板と、
第１の状態の時は第１ポートを第２ポート、第４ポートを第３ポートに接続し、第２の状態の時は第１ポートを第３ポート、第４ポートを第２ポートに接続するスイッチと、
前記第１ポートから前記基板の所定の端部まで伸びる入力導波路と、
前記第２および第３ポートから前記所定の端部までそれぞれ伸びる２本の出力導波路と、
前記第４ポートから前記基板の前記所定の端部以外の端部まで伸びる調整用導波路と、
を備え、
調心時に、前記スイッチは前記第１の状態に設定され、前記第３ポートから伸びる出力導波路に調心用の光信号が入力されることを特徴とする光回路。
【請求項２】
前記スイッチは２つの光路および一方の前記光路の近傍に配置されたスイッチ駆動部を備え、前記スイッチ駆動部に熱源投入、電圧印加またはキャリア注入することにより、前記第１の状態から前記第２の状態へ変化する、請求項１記載の光回路。
【請求項３】
前記出力導波路の前記所定の端部側に、さらに前記スイッチおよび前記２本の出力導波路が配置された、請求項１または２記載の光回路。
【請求項４】
前記スイッチおよび２本の出力導波路が多段に配置されている、請求項３記載の光回路。
【請求項５】
前記スイッチ、入力導波路、２本の出力導波路および調整用導波路をさらに備える、請求項１または２記載の光回路。
【請求項６】
前記２本の入力導波路の前記所定の端部側に、さらに前記スイッチおよび前記入力導波路が配置された、請求項５記載の光回路。
【請求項７】
複数の前記スイッチが並列に配置され、前記入力導波路と接続された複数のスイッチは、その他のスイッチに順次接続される、請求項６記載の光回路。
【請求項８】
前記その他のスイッチに接続された出力導波路の前記所定の端部側に配置され、前記入力導波路と接続された複数のスイッチとそれぞれ対応する複数の入力ポートと出力ポートとを備えた少なくとも４つの光スプリッタをさらに備え、
前記４つの光スプリッタの複数の入力ポートは互いに関連付けられている、請求項７記載の光回路。
【請求項９】
請求項１乃至８のいずれか１項記載の光回路と、
前記光回路の入力導波路および出力導波路とそれぞれ接続される光ファイバを備えた被接続部品と、
前記調整用導波路の対向位置に配置され、前記調整用導波路から出射された調整用の光信号の強度を計測する測定手段と、
前記計測した強度が最大となるように、前記光回路と前記被接続部品との相対位置を制御する制御手段と、
を備え、
前記光回路と前記被接続部品との調心時に、
前記スイッチは前記第１の状態に設定され、前記被接続部品は前記第３ポートから伸びる出力導波路に調心用の光信号を出力することを特徴とする調心システム。
【請求項１０】
第１の状態の時は第１ポートを第２ポートに、第４ポートを第３ポートに接続し、第２の状態の時は第１ポートを第３ポートに、第４ポートを第２ポートに接続するスイッチを備えた光回路の基板の所定の端部に被接続部品を近づけ、
前記第１の状態において、
前記第３ポートから伸びる出力導波路から光信号を入力し、
前記第４ポートから前記基板の前記所定の端部以外の端部まで伸びる調整用導波路から出力される光信号の強度を計測し、
前記計測した強度が最大となる位置を調心位置とする、
光回路の調心方法。
【発明の詳細な説明】
【技術分野】
【０００１】
本発明は、光通信システムや装置間光接続システムに用いられる光回路、調心システムおよび光回路の調心方法に関する。
【背景技術】
【０００２】
光ファイバ通信システムにおいては、波長分割多重（ＷＤＭ：Ｗａｖｅｌｅｎｇｔｈ  Ｄｉｖｉｓｉｏｎ  Ｍｕｌｔｉｐｌｅｘｉｎｇ）技術が普及してきている。ＷＤＭ技術を適用する場合、柔軟な波長パス設定を実現するために、光スイッチを含む各種の光回路が用いられる。【０００３】
光回路と被接続部品との接続においては、被接続部品の同一端面に配置された複数の光ファイバと、光回路の入力側光ファイバおよび出力側光ファイバと、をそれぞれ接続する場合がある。この場合、光回路の入力側光ファイバと出力側光ファイバとは光回路の同一端面に配置される。【０００４】
ここで、光回路の入力側光ファイバおよび出力側光ファイバと被接続部品の複数の光ファイバとを同一端面において接続する場合の調心方法は、例えば、特許文献１〜３に開示されている。【０００５】
特許文献１には、光回路の入力側光ファイバおよび出力側光ファイバから１２５μｍずらした位置に、対向する端面まで伸びる調心用光導波路を配置し、この調心用光導波路を用いて被接続部品との調心を行った後、光回路を１２５μｍ移動させて被接続部品と接着・固定する技術が開示されている。【０００６】
特許文献２には、光回路の入出力光導波路のうちの２本を別の端面まで伸ばして調心用光導波路とすると共に被接続部品に調心用の光ファイバを２本追加し、調心用光導波路と調心用光ファイバとを用いて調心する技術が開示されている。【０００７】
特許文献３には、アレイ導波路回折格子を通過する特定の波長の光を別の端面に導く光導波路を設け、光導波路を用いて光ファイバアレイの調心作業等を行う技術が開示されている。
【先行技術文献】
【特許文献】
【０００８】
【特許文献１】特開２００４−００４９０７号公報
【特許文献２】特開平１０−２２７９３６号公報
【特許文献３】特開２０００−２９２６３６号公報
【発明の概要】
【発明が解決しようとする課題】
【０００９】
しかし、特許文献１の技術では、被接続部品の光ファイバと調心用光導波路との調心を行った後、光回路を移動させて被接続部品と接着・固定する。移動によって被接続部品と光回路との相対位置が最適位置からずれてしまう可能性があり、接続精度が低下する。さらに、光回路を高精度に移動させるための設備を設ける必要がある。【００１０】
また、特許文献２の技術は、被接続部品の光ファイバの本数を、本来必要な本数よりも余分に用意する必要があり、光回路の汎用性が低下する。【００１１】
さらに、特許文献３の技術は、調心用に特定の波長の光を用いる必要があり、調心用の光源を別途配置する必要がある。【００１２】
本発明の目的は、入出力側導波路を同一の被接続部品と所定の端面側で接続する場合に、測定系や被接続部品に調心専用の構成を設けることなく、光回路と被接続部品との調心を行うことができる光回路、調心システムおよび光回路の調心方法を提供することにある。
【課題を解決するための手段】
【００１３】
上記目的を達成するために本発明に係る光回路は、基板と、第１の状態の時は第１ポートを第２ポート、第４ポートを第３ポートに接続し、第２の状態の時は第１ポートを第３ポート、第４ポートを第２ポートに接続するスイッチと、第１ポートから基板の所定の端
部まで伸びる入力導波路と、第２および第３ポートから所定の端部までそれぞれ伸びる２本の出力導波路と、第４ポートから基板の所定の端部以外の端部まで伸びる調整用導波路と、を備える。【００１４】
上記目的を達成するために本発明に係る調心システムは、上記の光回路と、光回路の入力導波路および出力導波路とそれぞれ接続される光ファイバを備えた被接続部品と、調整用導波路の対向位置に配置され、調整用導波路から出射された調整用の光信号の強度を計測する測定手段と、計測した強度が最大となるように、光回路と被接続部品との相対位置を制御する制御手段と、を備える。そして、光回路と被接続部品との調心時に、スイッチは第１の状態に設定され、被接続部品は第３ポートから伸びる出力導波路に調心用の光信号を出力する。【００１５】
上記目的を達成するために本発明に係る光回路の調心方法は、第１の状態の時は第１ポートを第２ポートに、第４ポートを第３ポートに接続し、第２の状態の時は第１ポートを第３ポートに、第４ポートを第２ポートに接続するスイッチを備えた光回路の基板の所定の端部に被接続部品を近づけ、第１の状態において、第３ポートから伸びる出力導波路から光信号を入力し、第４ポートから基板の所定の端部以外の端部まで伸びる調整用導波路から出力される光信号の強度を計測し、計測した強度が最大となる位置を調心位置とする。
【発明の効果】
【００１６】
本発明に係る光回路、調心システムおよび光回路の調心方法は、入出力側導波路を同一の被接続部品と所定の端面側で接続する場合に、測定系や被接続部品に調心専用の構成を設けることなく、光回路と被接続部品との調心を行うことができる。
【図面の簡単な説明】
【００１７】
【図１Ａ】本発明の第１の実施形態に係る光回路１０の構成図である。
【図１Ｂ】本発明の第１の実施形態に係る調心システム２０の構成図である。
【図１Ｃ】本発明の第１の実施形態に係る光回路３０の構成図である。
【図２Ａ】本発明の第１の実施形態の変形例に係る光回路４０の構成図である
【図２Ｂ】本発明の第１の実施形態の変形例に係る光回路５０の構成図である
【図３Ａ】本発明の第１の実施形態の別の変形例に係る光回路６０の構成図である。
【図３Ｂ】本発明の第１の実施形態の別の変形例に係る光回路７０の構成図である。
【図３Ｃ】本発明の第１の実施形態の別の変形例に係る光回路８０の構成図である。
【図４】本発明の第２の実施形態に係る光回路１００が光ファイバアレイ２００と接続されている状態の構成図である。
【図５】本発明の第２の実施形態に係る光スイッチ素子１１０ａの斜視図である。
【図６】本発明の第２の実施形態の変形例に係る光回路３００が光ファイバアレイ４００と接続されている状態の構成図である。
【図７】本発明の第３の実施形態に係る光回路５００が光ファイバアレイ６００と接続されている状態の構成図である。
【発明を実施するための形態】
【００１８】
（第１の実施形態）
本発明の第１の実施形態に係る光回路について説明する。本実施形態に係る光回路の構成図を図１Ａに示す。図１Ａにおいて、本実施形態に係る光回路１０は、基板１１、スイッチ１２、入力導波路１３、２本の出力導波路１４ａ、１４ｂおよび調整用導波路１５を備える。
【００１９】
基板１１の上に、スイッチ１２、入力導波路１３、２本の出力導波路１４ａ、１４ｂおよび調整用導波路１５が配置されている。また、入力導波路１３および２本の出力導波路１４ａ、１４ｂはそれぞれ、スイッチ１２から基板１１の同一の端１１ａまで伸びている。
【００２０】
スイッチ１２は、４つのポート１２ａ〜１２ｄおよび図示しない２つの光路を備え、一方の光路の近傍に図示しないスイッチ駆動部を配置し、このスイッチ駆動部に電圧印加、キャリア注入、または、熱源投入等することにより、光路を切り替える。ここで、スイッチ駆動部に電圧印加、キャリア注入または熱源投入を行っていない状態を第１の状態、スイッチ駆動部に電圧印加等を行った状態を第２の状態とする。なお、所定の閾値を設定し、印加する電圧値等が閾値より小さい状態を第１の状態、閾値より大きい状態を第２の状態とすることもできる。スイッチ１２として、例えば、マッハ・ツェンダ型素子を適用することができる。  
本実施形態に係るスイッチ１２は、第１の状態の時、第１ポート１２ａを第２ポート１２ｂに、第４ポート１２ｄを第３ポート１２ｃに接続し、第２の状態の時、第１ポート１２ａを第３ポート１２ｃに、第４ポート１２ｄを第２ポート１２ｂに接続する。スイッチ１２は、図示しない被接続部品との調心作業時には第１の状態に設定される。スイッチ駆動部に電圧印加等を行っていない第１の状態で調芯作業を行うことにより、調心作業を効率よく行うことができる。
【００２１】
入力導波路１３は、スイッチ１２の第１ポート１２ａから基板１１の端部１１ａまで伸び、図示しない被接続部品から入射した光信号を、スイッチ１２の第１ポート１２ａへ出射する。
【００２２】
出力導波路１４ａ、１４ｂはそれぞれ、スイッチ１２の第２および第３ポート１２ｂ、１２ｃから基板１１の端部１１ａまで伸びる。出力導波路１４ａは、第１の状態の時、スイッチ１２を介して図示しない被接続部品から入射した光信号を被接続部品へ出射する。一方、出力導波路１４ｂは、第２の状態の時、スイッチ１２を介して被接続部品から入射した光信号を被接続部品へ出射する。さらに、出力導波路１４ｂは、被接続部品との調心作業時、被接続部品から入射した光信号をスイッチ１２へ出射する。
【００２３】
調整用導波路１５は、スイッチ１２の第４ポート１２ｄから、基板１１の端部１１ａと対向する端部１１ｂまで伸び、被接続部品との調心作業時にスイッチ１２を介して被接続部品から出射された光信号を、基板１１の端部１１ｂ側から出射する。
【００２４】
上記のように構成された光回路を含む調心システムについて説明する。本実施形態に係る調心システムの構成図を図１Ｂに示す。図１Ｂにおいて、調心システム２０は、光回路２１、被接続部品２２、測定手段２３および制御手段２４を備える。
【００２５】
図１Ｂにおいて、被接続部品２２は光回路２１の基板２５の端部２５ａ側に配置され、測定手段２３は基板２５の端部２５ｃ側の調整用導波路２９と対向する位置に配置されている。制御手段２４は、被接続部品２２の下方に配置され、被接続部品２２を上下左右方向および回転方向に位置決めする。
【００２６】
本実施形態に係る調芯システム２０において、光回路２１と被接続部品２２との調心作業を行う場合、先ず、光回路２１を第１の状態に設定する。その後、被接続部品２２を光回路２１の端部２５ａへ当接させ、光回路２１の入力導波路２７および出力導波路２８ａ、２８ｂと、被接続部品２２の光ファイバ２２ａ〜２２ｃと、を結合させる。その状態で、被接続部品２２の光ファイバ２２ｂから光回路２１の出力導波路２８ｂへ調心用の光信号を出射する。
【００２７】
出力導波路２８ｂへ入射した調心用の光信号は、スイッチ２６の第３ポート２６ｃ、第４ポート２６ｄ、調整用導波路２９を介して、基板２５の端部２５ｃ側から外部へ出射される。測定手段２３は、基板２５の端部２５ｃにおいて、調整用導波路２９から出射された調心用の光信号の強度を計測し、計測結果を制御手段２４へ出力する。
【００２８】
制御手段２４は、測定手段２３から入力した測定結果に基づいて、光回路２１と被接続部品２２との相対位置を調整する。本実施形態において、制御手段２４は測定手段２３から入力した測定結果が最大値となるように被接続部品２２の上下左右方向および回転方向の位置を調整する。そして、測定結果が最大値となる位置で、光回路２１と被接続部品２２とを接着・固定する。なお、光回路２１および被接続部品２２の接着・固定後に、光回路２１の調整用導波路２９から不要な光信号が入射しないように、調整用導波路２９の端部２５ｃ側の端面を処理することが望ましい。
【００２９】
調芯済みの光回路２１および被接続部品２２は、通常動作時において、被接続部品２２の光ファイバ２２ｃから光回路２１の入力導波路２７に光信号が入射する。入力導波路２７に入射した光信号は、スイッチ２１の状態に応じて出力導波路２８ａまたは２８ｂのどちらかへ出射され、被接続部品２２の光ファイバ２２ａ、２２ｂのどちらかに入射する。
【００３０】
以上のように、本実施形態に係る光回路１０および調心システム２０は、光回路の入力導波路および出力導波路を、被接続部品と同一の端面側で接続する場合に、測定系や被接続部品に調心専用の構成を設けることなく、光回路と被接続部品との調心を行うことができる。
【００３１】
すなわち、本実施形態に係る光回路１０および調心システム２０において、調整用導波路を被接続部品が配置されている端部とは別の端部に伸ばすことにより、最適位置においてそのまま光回路および被接続部品を接着・固定することができる。また、調心作業には通常動作時に使用する光ファイバを利用することから、被接続部品に調心作業用の光ファイバを配置する必要がないと共に、調整用の光信号として特殊な波長を有する光信号を用いる必要がない。
【００３２】
ここで、上述の光回路を複数組み合わせることもできる。例えば、上述の光回路を２つ組み合わせた光回路の構成図を図１Ｃに示す。図１Ｃにおいて、光回路３０は、基板３１、スイッチ３２ａ、３２ｂ、入力導波路３３ａ、３３ｂ、出力導波路３４ａ〜３４ｄおよび調整用導波路３５ａ、３５ｂを備える。
【００３３】
上記の光回路３０を図示しない被接続部品と端面３１ａにおいて調心する場合、スイッチ３２ａ、３２ｂを第１の状態に設定した後、出力導波路３４ｂ、３４ｃから調心用の光信号を入射させる。出力導波路３４ｂ、３４ｃから入射した調整用の光信号は、スイッチ３２ａ、３２ｂを介してそれぞれ調整用導波路３５ａ、３５ｂに出射され、基板の端部３１ｂ側から出射される。そして、調整用導波路３５ａ、３５ｂから出射された光信号の強度を端部３１ｂ側に配置した図示しない測定器で計測し、調整用の光信号の強度が最大となるように光回路３０を調心する。
【００３４】
そして、調芯済みの光回路３０は、通常動作時に、図示しない被接続部品から入力導波路３３ａ、３３ｂに光信号が入射する。入力導波路３３ａ、３３ｂに入射した光信号は、スイッチ３２ａ、３２ｂに入射し、スイッチ３２ａ、３２ｂの状態に応じて出力導波路３４ａ、３４ｂのどちらか一方、および、出力導波路３４ｃ、３４ｄのどちらか一方に出射され、図示しない被接続部品の光ファイバへ入射する。
【００３５】
（第１の実施形態の変形例）
第１の実施形態の変形例について説明する。先ず、第１の実施形態の第１の変形例として、第１の実施形態で説明した図１Ａの光回路１０において、出力導波路１４ａ、１４ｂの後段にそれぞれ、第２のスイッチを配置する場合について説明する。出力導波路１４ａ、１４ｂの後段にそれぞれ第２のスイッチを配置した光回路の構成図を図２Ａに示す。
【００３６】
図２Ａの光回路４０は、基板４１、第１のスイッチ４２、第２のスイッチ４３ａ、４３ｂ、入力導波路４４、出力導波路４５ａ〜４５ｄ、接続用導波路４６ａ、４６ｂおよび調整用導波路４７を備える。第１のスイッチ４２は、図１Ａに示したスイッチ１０と同様に構成されている。第２のスイッチ４３ａ、４３ｂは、スイッチ１０の第４ポート１２ｄを終端することにより形成されている。接続用導波路４６ａ、４６ｂは、第１のスイッチ４２と第２のスイッチ４３ａ、４３ｂとをそれぞれ接続する。
【００３７】
光回路４０を図示しない被接続部品と調心する場合、第１のスイッチ４２および第２のスイッチ４３ａ、４３ｂを第１の状態に設定した後、出力導波路４５ｄへ調心用の光信号を出射する。そして、出力導波路４５ｄに入射した調整用の光信号は、第２のスイッチ４３ｂに入射し、第２のスイッチ４３ｂが第１の状態に設定されていることから、接続用導波路４６ｂへ出射される。
【００３８】
接続用導波路４６ｂに入射した調整用の光信号は、第１のスイッチ４２において調整用導波路４７側へ出射され、基板４１の端部４１ｂから出射される。そして、端部４１ｂ側において調整用導波路４７から出射された調整用の光信号の強度を計測し、強度が最大となるよう位置で、光回路４０と被接続部品とを接着・固定する。
【００３９】
従って、本実施形態に係る光回路４０は、光回路４０の入力導波路および出力導波路を、図示しない被接続部品と同一の端面側で接続する場合に、測定系や被接続部品に調心専用の構成を設けることなく、光回路４０と被接続部品との調心を行うことができる。
【００４０】
そして、調心済みの光回路４０は、通常動作時に、図示しない被接続部品の光ファイバから光回路４０の入力導波路４４に光信号が入射する。入力導波路４４に入射した光信号は、第１のスイッチ４２に入射し、第１のスイッチ４２の状態に応じて接続用導波路４６ａ、４６ｂのどちらかへ出射され、第２のスイッチ４３ａ、４３ｂのどちらかに入射する。さらに、第２のスイッチ４３ａ、４３ｂのどちらかに入射した光信号は、第２のスイッチ４３ａ、４３ｂの状態に応じて、出力導波路４５ａ〜４５ｄのいずれかに出射され、図示しない被接続部品の光ファイバに入射する。
【００４１】
ここで、上記の光回路４０では、第２のスイッチ４３ａ、４３ｂの第４ポートを終端処理したが、終端処理する代わりに、第２のスイッチ４３ａ、４３ｂの第４ポートから端部４１ａ以外の端部まで伸びる調整用導波路を追加することもできる。追加した調整用導波路４７ａ、４７ｂの一例を図２Ａに点線で示す。追加した調整用導波路４７ａ、４７ｂを用いて調心する場合、光回路４０の出力導波路４５ｂ、４５ｃから調整用の光信号を入射する。３本の調整用導波路４７、４７ａ、４７ｂから出射された調整用の光信号を用いて調心することにより、結合効率のばらつきが低減され、より精度の高い調心を行うことができる。
【００４２】
ここで、上述の光回路４０の出力導波路４５ａ〜４５ｄの後段に、さらに第３のスイッチを配置することもできる。光スイッチを３段に配置した場合の光回路５０の構成図を図２Ｂに示す。また、追加することが可能な調整用導波路５９ａ〜５９ｄの一例を、図２Ｂに点線で示す。図２Ｂに示した光回路５０の詳細動作については、第２の実施形態で詳細に述べる。
【００４３】
次に、第１の実施形態の第２の変形例として、第１の実施形態で説明した図１Ａの光回路１０において、入力導波路１３の前段に第２のスイッチを配置する場合について説明する。入力導波路１３の前段に第２のスイッチを配置した光回路の構成図を図３Ａに示す。図３Ａの光回路６０は、図１Ｃの光回路３０の入力導波路３３ａ、３３ｂの前段に第２の光スイッチ６３を追加した構成となっている。
【００４４】
図３Ａにおいて、本実施形態に係る光回路６０は、基板６１、第１のスイッチ６２ａ、６２ｂ、第２のスイッチ６３、入力導波路６４、出力導波路６５ａ〜６５ｄ、接続用導波路６６ａ、６６ｂおよび調整用導波路６７ａ、６７ｂを備える。
【００４５】
光回路６０を図示しない被接続部品と調心する場合、第１のスイッチ６２ａ、６２ｂおよび第２のスイッチ６３を第１の状態に設定した後、出力導波路６５ｂ、６５ｃからそれぞれ調心用の光信号を入射させる。出力導波路６５ｂから入射した調整用の光信号は、第１のスイッチ６２ａに入射し、第１のスイッチ６２ａが第１の状態に設定されていることから、調整用導波路６７ａ側へ出射される。一方、出力導波路６５ｂから入射した調整用の光信号は調整用導波路６７ｂ側へ出射される。
【００４６】
そして、調整用導波路６７ａ、６７ｂから出射された調整用の光信号の強度を、図示しない計測手段によって計測し、調整用導波路６７ａ、６７ｂから出射された調整用の光信号の強度の合計が最大となるように、光回路６０を位置決めする。
【００４７】
従って、測定系や被接続部品に調心専用の構成を設けることなく光回路６０と被接続部品とを調心でき、光回路６０と被接続部品とを基板６１の所定の端面６１ａ側で接続することができる。
【００４８】
そして、調心済みの光回路６０は、通常動作時に、被接続部品の光ファイバから光回路６０の入力導波路６４に光信号が入射する。そして、入力導波路６４に入射した光信号は、第２のスイッチ６３に入射し、第２のスイッチ６３の状態に応じて接続用導波路６６ａまたは６６ｂのどちらかへ出射され、第１のスイッチ６２ａ、６２ｂのどちらかに入射する。第１のスイッチ６２ａ、６２ｂのどちらかに入射した光信号は、第１のスイッチ６２ａ、６２ｂの状態に応じて、出力導波路６５ａ〜６５ｄのいずれかに出射され、被接続部品の光ファイバに入射する。
【００４９】
また、上述の光回路６０を２つ組み合わせることもできる。図３Ｂに、上述の光回路６０を２つ組み合わせ、第１のスイッチ７２ａ〜７２ｄを入れ子に配置した場合の光回路７０の構成図を示す。図３Ｂにおいて、本実施形態に係る光回路７０は、基板７１、第１のスイッチ７２ａ〜７２ｄ、第２のスイッチ７３ａ、７３ｂ、入力導波路７４ａ、７４ｂ、出力導波路７５ａ〜７５ｈ、接続用導波路７６ａ〜７６ｄおよび調整用導波路７７ａ、７７ｂを備える。
【００５０】
光回路７０を図示しない被接続部品と調心する場合、第１のスイッチ７２ａ〜７２ｄおよび第２のスイッチ７３ａ、７３ｂを第１の状態に設定した後、出力導波路７５ｂ、７５ｇへそれぞれ調心用の光信号を出射する。出力導波路７５ｂに入射した調整用の光信号は、第１のスイッチ７２ａおよび調整用導波路７７ａを介して端部７１ｂから出射される。一方、出力導波路７５ｇに入射した調整用の光信号は、第１のスイッチ７２ｄおよび調整用導波路７７ｂを介して端部７１ｂから出射される。そして、調整用導波路７７ａ、７７ｂから出射された調整用の光信号の強度の合計が最大となるように、光回路７０を位置決めする。
【００５１】
従って、入力導波路７４ａ、７４ｂおよび出力導波路７５ａ〜７５ｈを基板７１の所定の端面７１ａ側に配置した光回路７０において、測定系や被接続部品に調心専用の構成を設けることなく、光回路７０と図示しない被接続部品との調心を行うことができる。
【００５２】
ここで、追加することが可能な調整用導波路７７ｃ、７７ｄの一例を図３Ｂに点線で示す。追加した調整用導波路７７ｃ、７７ｄを用いて調心作業を実施する場合は光回路７０の出力導波路７５ｄ、７５ｅから調整用の光信号を入射する。
【００５３】
調心済みの光回路７０は、通常動作時に、被接続部品の光ファイバから光回路７０の入力導波路７４ａ、７４ｂに光信号が入射する。入力導波路７４ａに入射した光信号は、第２のスイッチ７３ａに入射し、第２のスイッチ７３ａの状態に応じて接続用導波路７６ａまたは７６ｂのどちらかへ出射され、第１のスイッチ７２ａ、７２ｃのどちらかに入射する。そして、第１のスイッチ７２ａ、７２ｃのどちらかに入射した光信号は、スイッチの状態に応じて出力導波路７５ａ、７５ｂ、７５ｅ、７５ｆのいずれかに入射し、被接続部品の光ファイバへ出射される。同様に、入力導波路７４ｂに入射した光信号は、出力導波路７５ｃ、７５ｄ、７５ｇ、７５ｈのいずれかに入射し、被接続部品の光ファイバへ出射される。
【００５４】
ここで、上述の光回路７０の出力導波路７５ａ〜７５ｈの後段に光スプリッタを配置し、入力導波路７４ａ、７４ｂから入射した光信号を出射端で切替えることもできる。出力導波路７５ａ〜７５ｈの後段に光スプリッタを配置した場合の光回路の構成図を図３Ｃに示す。
【００５５】
図３Ｃにおいて、本実施形態に係る光回路８０は、基板８１、第１のスイッチ８２ａ〜８２ｄ、第２のスイッチ８３ａ、８３ｂ、入力導波路８４ａ、８４ｂ、接続用導波路８５ａ〜８５ｈ、８６ａ〜８６ｄ、調整用導波路８７ａ、８７ｂ、光スプリッタ８８ａ〜８８ｄおよび出力導波路８９ａ〜８９ｄを備える。なお、追加することが可能な調整用導波路８７ｃ、８７ｄの一例を図３Ｃに点線で示す。
【００５６】
光スプリッタ８８ａ〜８８ｄはそれぞれ、２つの入力ポートと１つの出力ポートとを備える。光スプリッタ８８ａ〜８８ｄは、２つの入力ポートの一方を選択し、選択した入力ポートから入射した光信号を出力ポートへ出射する。そして、出力ポートから出射された光信号は、出力導波路８９ａ〜８９ｄから端部８１ａ側に出射される。また、本実施形態に係る光スプリッタ８８ａ〜８８ｄは、２つの入力ポートが連動して動作する。例えば、光スプリッタ８８ａが第１の入力ポートを選択している場合、他の光スプリッタ８８ｂ〜８８ｄも第１の入力ポートを選択する。光スプリッタ８８ａ〜８８ｄの入力ポートを交互に切り替えることにより、入力導波路８４ａ、８４ｂから入射した光信号を出力導波路８９ａ〜８９ｄから交互に出射させることができる。光スプリッタを備えた光回路の詳細動作は、第３の実施形態で説明する。
【００５７】
（第２の実施形態）
第２の実施形態について説明する。本実施形態において、光回路として１×８光スイッチを適用する。本実施形態に係る光回路が光ファイバアレイと接続されている状態の構成図を図４に示す。
【００５８】
本実施形態に係る光回路１００は、７個の光スイッチ素子１１０ａ〜１１０ｄ、１２０ａ、１２０ｂ、１３０、入力光導波路１４０、８本の出力光導波路１５０ａ〜１５０ｈ、２本の調心用光導波路１６０、１７０、および、各光スイッチ素子を接続する６本の接続光導波路１８０ａ〜１８０ｆを備える。各光導波路は、コアがシリコンで、クラッドが石英で形成されている。光ファイバアレイ２００は、固定用ガラスブロック２１０および９本の光ファイバ２２０ａ〜２２０ｉを備える。
【００５９】
図４において、光回路１００の端面１０１側に光ファイバアレイ２００が配置され、光回路１００の出力光導波路１５０ａ〜１５０ｈおよび入力光導波路１４０と、光ファイバアレイ２００の９本の光ファイバ２２０ａ〜２２０ｉとが、固定用ガラスブロック２１０を介して接続されている。
【００６０】
光回路１００において、入力光導波路１４０および８本の出力光導波路１５０ａ〜１５０ｈは、光ファイバアレイ２００が配置されている端面１０１側に伸びている。一方、２本の調心用光導波路１６０、１７０は、端面１０１と反対側の、光ファイバアレイ２００が配置されていない端面１０２側に伸びている。
【００６１】
光スイッチ素子１１０ａ〜１１０ｄ、１２０ａ、１２０ｂ、１３０は、駆動状態に応じて光信号の出射方向が切り替わる。光スイッチ素子１１０ａ〜１１０ｄ、１２０ａ、１２０ｂ、１３０として、２つの光路の干渉を利用して光強度を変化させるマッハ・ツェンダ型素子を適用することができる。本実施形態では、光スイッチ素子１１０ａ〜１１０ｄ、１２０ａ、１２０ｂ、１３０を、ヒータを用いて加熱することで駆動する。
【００６２】
光スイッチ素子１１０ａについて詳細に説明する。光スイッチ素子１１０ａの斜視図を図５に示す。光スイッチ素子１１０ａは、シリコン基板１１１ａ上に、シリコンを用いてコア１１２ａを、石英を用いてクラッド１１３ａを形成することにより光導波路を構成している。光スイッチ素子１１０ａは、対向する１組の端部の一方に２つの入力ポート１１４ａ、１１５ａを、他方の端部に２つの出力ポート１１６ａ、１１７ａが形成されている。そして、本実施形態に係る光スイッチ素子１１０ａは、入力ポート１１４ａが図４の出力光導波路１５０ｂに、入力ポート１１５ａが出力光導波路１５０ａに、出力ポート１１６ａが接続光導波路１８０ａに、出力ポート１１７ａが調心用光導波路１６０に、それぞれ接続される。入力ポート１１４ａから光信号が入力した場合、入力した光信号は、マッハ・ツェンダの二つのアームを経由して再び合流し、出力ポート１１６ａ、１１７ａにおいて干渉する。また、光スイッチ素子１１０ａの一方のアームの上方に一対の電極対１１８ａが配置され、この電極対１１８ａの間にヒータ１１９ａが配置されている。
【００６３】
光スイッチ素子１１０ａの電極対１１８ａに電圧を印加することにより、ヒータ１１９ａに電流が流れ、ヒータ１１９ａが発熱する。ヒータ１１９ａが発熱し、直下の光導波路が所定の温度に維持されることにより、コア１１２ａの屈折率が変化し、両アームの光路長が半波長分ずれる。従って、入力ポート１１４ａから入力して２つのアームを経由して来た光信号は、出力ポート１１６ａにおいて位相差が０となり、互いの光信号が強め合う。一方、入力ポート１１４ａから入力して２つのアームを経由して来た光信号は、出力ポート１１７ａにおいて位相差がπとなり、互いの光信号が打ち消し合う。すなわち、電極対１１８ａに所定の電圧を印加した場合、入力ポート１１４ａから入力した光信号は、出力ポート１１６ａへ出力される。
【００６４】
一方、光スイッチ素子１１０ａの電極対１１８ａに電圧を印加しない場合は、光スイッチ素子１１０ａの両アームの光路長は等しい。従って、入力ポート１１４ａから入力して２つのアームを経由して来た光信号は、出力ポート１１６ａにおいて位相差がπとなり、互いの光信号が打ち消し合う。一方、入力ポート１１４ａから入力して２つのアームを経由して来た光信号は、出力ポート１１７ａにおいて位相差が０となり、互いの光信号が強め合う。すなわち、電極対１１８ａに電圧を印加しない場合、入力ポート１１４ａから入力した光信号は、出力ポート１１７ａへ出力される。なお、電極対１１８ａに電圧を印加しない状態が請求項の第１の状態に対応し、電極対１１８ａに電圧を印加した状態が第２の状態に対応する。
【００６５】
光スイッチ素子１３０も光スイッチ素子１１０ａと同様に形成されている。また、光スイッチ素子１１０ａは２×２の光スイッチであるが、４つのポート１１４ａ、１１５ａ、１１６ａ、１１７ａのうちいずれか１つのポートを終端することにより、１×２の光スイッチ素子１１０ｂ〜１１０ｄ、１２０ａ、１２０ｂを形成することができる。
【００６６】
次に、光回路１００と光ファイバアレイ２００との調心手順を、図４および図５を用いて説明する。光回路１００の出力光導波路１５０ａ〜１５０ｈおよび入力光導波路１４０と、光ファイバアレイ２００の光ファイバ２２０ａ〜２２０ｉと、の調心を行う場合、全ての光スイッチ素子の各電極対に電圧を印加しない状態（第１の状態）に設定した後、光ファイバアレイ２００の光ファイバ２２０ｂ、２２０ｈから調心用の光信号を出射する。そして、光ファイバアレイ２００を光回路１００の端面１０１に近づけ、光回路１００の出力光導波路１５０ａ〜１５０ｈおよび入力光導波路１４０と、光ファイバアレイ２００の光ファイバ２２０ａ〜２２０ｉと、を結合させる。
【００６７】
光ファイバ２２０ｂと光導波路１５０ｂとが結合することにより、光ファイバ２２０ｂから出射された調心用の光信号は光導波路１５０ｂへ入力し、光スイッチ素子１１０ａの入力ポート１１４ａに入力する。そして、光スイッチ素子１１０ａの電極対に電圧が印加されていないことから、入力ポート１１４ａから入力した調心用の光信号は出力ポート１１７ａへ出力し、調心用光導波路１６０から外部へ出力される。そして、端面１０２側において、調心用光導波路１６０から出力された調心用の光信号強度を図示しない計測器を用いて計測する。
【００６８】
一方、光ファイバ２２０ｈと光導波路１５０ｈとが結合することにより、光ファイバ２２０ｈから出射された調心用の光信号は光導波路１５０ｈへ入力し、光スイッチ素子１１０ｄに入力する。光スイッチ素子１１０ｄに入力した調心用の光信号は、光スイッチ素子１１０ｄの電極対に電圧が印加されていないことから、接続光導波路１８０ｄへ出力し、光スイッチ素子１２０ｂ、接続光導波路１８０ｆ、光スイッチ素子１３０を介して調心用光導波路１７０から外部へ出力される。そして、端面１０２側において、調心用光導波路１７０から出力された調心用の光信号強度を図示しない計測器で計測する。
【００６９】
そして、調心用光導波路１６０、１７０から出力された調心用の光信号の強度の合計が最大となる位置で、光ファイバアレイ２００を光回路１００に接着・固定する。２本の調心用光導波路１６０、１７０から出力された調整用の光信号を用いて調心することにより、結合効率のばらつきが低減され、より精度の高い調心を行うことができる。
【００７０】
そして、調心済みの光回路１００および光ファイバアレイ２００は、通常動作時に、光信号が光ファイバアレイ２００の光ファイバ２２０ｉから入力光導波路１４０へ入射され、入力光導波路１４０から光スイッチ素子１３０へ出射される。光スイッチ素子１３０に入射した光信号は、光スイッチ素子１３０の駆動状態に応じて光スイッチ素子１２０ａまたは光スイッチ素子１２０ｂ側へ出射され、光スイッチ素子１２０ａ、１２０ｂの駆動状態に応じて光スイッチ素子１１０ａ〜１１０ｄのいずれかに出射され、さらに、光スイッチ素子１１０ａ〜１１０ｄの駆動状態に応じて出力光導波路１５０ａ〜１５０ｈのいずれかから出射される。出力光導波路１５０ａ〜１５０ｈのいずれかから出射された光信号は、光ファイバ２２０ａ〜２２０ｈのいずれかへ入射する。
【００７１】
以上のように、本実施形態に係る光回路１００および光ファイバアレイ２００は、測定系や被接続部品に調心専用の構成を設けることなく、出力光導波路１５０ａ〜１５０ｈおよび入力光導波路１４０と、光ファイバ２２０ａ〜２２０ｉと、を調心することができる。
【００７２】
なお、本実施形態では調心用光導波路１６０、１７０を共に光ファイバアレイ２００と対向する端面１０２側に引き出したが、これに限定されない。調心用光導波路１６０、１７０を、光ファイバアレイ２００が配置されていない上端面側または下端面側に引き出すこともできる。また、調心用光導波路１６０、１７０の途中に分岐を設け、複数の端面に引き出すこともできる。
【００７３】
（第２の実施形態の変形例）
第２の実施形態の変形例について説明する。本実施形態に係る光回路が光ファイバアレイと接続されている状態の構成図を図６に示す。図６に示した光回路３００は、第１の実施形態の変形例で説明した図３Ａの出力導波路６５ａ〜６５ｄの後段にそれぞれ、光スイッチ３１０ａ〜３１０ｄを配置することにより形成される。
【００７４】
図６において、本実施形態に係る光回路３００は、７個の光スイッチ素子３１０ａ〜３１０ｄ、３２０ａ、３２０ｂ、３３０、入力光導波路３４０、８本の出力光導波路３５０ａ〜３５０ｈ、２本の調心用光導波路３６０、３７０、および、各光スイッチ素子を接続する６本の接続光導波路３８０ａ〜３８０ｆを備える。光ファイバアレイ４００は、固定用ガラスブロック４１０および９本の光ファイバ４２０ａ〜４２０ｉを備える。ここで、本実施形態に係る光スイッチ素子３１０ａ〜３１０ｄ、３２０ａ、３２０ｂ、３３０は、第２の実施形態で説明した図４および図５の光スイッチ素子１１０ａ〜１１０ｄ、１２０ａ、１２０ｂ、１３０と同様に構成されている。
【００７５】
図６において、光回路３００の一方の端面３０１側に光ファイバアレイ４００が配置されている。光回路３００の入力光導波路３４０および８本の出力光導波路３５０ａ〜３５０ｈは、光ファイバアレイ４００が配置されている端面３０１側に伸びている。一方、２本の調心用光導波路３６０、３７０は、端面３０１と反対側の、光ファイバアレイ４００が配置されていない端面３０２側に伸びている。そして、光回路３００の出力光導波路３５０ａ〜３５０ｈおよび入力光導波路３４０と、光ファイバアレイ４００の９本の光ファイバ４２０ａ〜４２０ｉとは、固定用ガラスブロック４１０を介して接続されている。
【００７６】
次に、光回路３００と光ファイバアレイ４００との調心手順について説明する。光回路３００の出力光導波路３５０ａ〜３５０ｈおよび入力光導波路３４０と、光ファイバアレイ４００の光ファイバ４２０ａ〜４２０ｉと、の調心を行う場合、全ての光スイッチ素子の電極対に電圧を印加しない状態で、光ファイバアレイ４００の光ファイバ４２０ｂ、４２０ｈから調心用の光信号を出射し、光ファイバアレイ４００を光回路３００の端面３０１に近づける。
【００７７】
光ファイバ４２０ｂと光導波路３５０ｂとが結合することにより、調心用の光信号は光導波路３５０ｂへ入力し、光スイッチ素子３１０ａに入力する。光スイッチ素子３１０ａの電極対に電圧が印加されていないことから、入射した調心用の光信号は調心用光導波路３６０へ出射され、端面３０２側において強度が計測される。
【００７８】
同様に、光ファイバ４２０ｈから出射された調心用の光信号は、光導波路３５０ｇ、光スイッチ素子３１０ｄ、調心用光導波路３７０を介して、調心用光導波路３７０から外部へ出射され、端面３０２側において強度が計測される。
【００７９】
そして、調心用光導波路３６０、３７０から出射された調心用光信号の強度の合計が最大となる位置で、光ファイバアレイ４００を光回路３００に接着・固定する。調心時の光強度の計測は１ヶ所だけで行ってもよいが、２ヶ所で行う方が結合効率のばらつきを低減できて望ましい。
【００８０】
そして、調心済みの光回路３００および光ファイバアレイ４００は、通常動作時において、光信号が光ファイバアレイ４００の光ファイバ４２０ｅから出射され、出射された光信号は、入力光導波路３４０を介して光スイッチ素子３３０に入射し、光スイッチ素子３３０の駆動状態に応じて、光スイッチ素子３２０ａまたは光スイッチ素子３２０ｂのどちらかへ出射され、光スイッチ素子の駆動状態に応じてさらに光スイッチ素子３１０ａ〜３１０ｄのいずれかに出射される。光スイッチ素子３１０ａ〜３１０ｄのいずれかに入射した光信号は、その駆動状態に応じて出力光導波路３５０ａ〜３５０ｈのいずれかから出射され、結合されている光ファイバアレイ４００の光ファイバ４２０ａ〜４２０ｄ、４２０ｆ〜４２０ｉのいずれかに出射される。
【００８１】
以上のように、本実施形態に係る光回路３００および光ファイバアレイ４００は、測定系や被接続部品に調心専用の構成を設けることなく、光回路３００と光ファイバアレイ４００とを調心することができる。
【００８２】
なお、本実施形態では調心用光導波路３６０、３７０を共に光ファイバアレイ４００と対向する端面３０２側に引き出したが、これに限定されない。調心用光導波路３６０、３７０を、光ファイバアレイ４００が配置されていない上端面側または下端面側に引き出すこともできる。また、調心用光導波路３６０、３７０の途中に分岐を設け、複数の端面に引き出すこともできる。
【００８３】
（第３の実施形態）
第３の実施形態について説明する。本実施形態において、光回路として４×４光スイッチを適用する。本実施形態に係る光回路が光ファイバアレイと接続されている状態の構成図を図７に示す。
【００８４】
図７において、本実施形態に係る光回路５００は、１２個の光スイッチ素子５１０ａ〜５１０ｄ、５２０ａ〜５２０ｄ、５３０ａ〜５３０ｄ、４個の１×４光スプリッタ素子５４０ａ〜５４０ｄ、４本の入力光導波路５５０ａ〜５５０ｄ、４本の出力光導波路５６０ａ〜５６０ｄ、２本の調心用光導波路５７０、５８０、および、光スイッチ素子と光スプリッタ素子とをそれぞれ接続する複数の接続光導波路を備える。光スイッチ素子５１０ａ〜５１０ｄ、５２０ａ〜５２０ｄ、５３０ａ〜５３０ｄは、図５に示した光スイッチ素子と同様に構成されている。光ファイバアレイ６００は、固定用ガラスブロック６１０および８本の光ファイバ６２０ａ〜６２０ｈを備える。
【００８５】
図７において、光回路５００の一つの端面５０１側に光ファイバアレイ６００が配置されている。光回路５００の入力光導波路５５０ａ〜５５０ｄおよび出力光導波路５６０ａ〜５６０ｄは、光ファイバアレイ６００が配置されている端面５０１側に伸びている。一方、２本の調心用光導波路５７０、５８０は、光ファイバアレイ６００が配置されていない端面５０２側に伸びている。本実施形態において、各光導波路はコアがシリコンで、クラッドが石英で形成されている。そして、光回路５００の入力光導波路５５０ａ〜５５０ｄおよび出力光導波路５６０ａ〜５６０ｄと、光ファイバアレイ６００の８本の光ファイバ６２０ａ〜６２０ｈとが接続されている。
【００８６】
光スプリッタ素子５４０ａ〜５４０ｄはそれぞれ、４つの入力ポートと１つの出力ポートとを備える。光スプリッタ素子５４０ａ〜５４０ｄは、選択した入力ポートから入射した光信号を出力ポートから出射する。光スプリッタ素子５４０ａ〜５４０ｄは、光回路５００と光ファイバアレイ６００との接続・固定が完了した後、連動して動作する。例えば、光スプリッタ素子５４０ａが第１の入力ポートを選択している場合、他の光スプリッタ素子５４０ｂ〜５４０ｄも第１の入力ポートを選択する。
【００８７】
次に、光回路５００と光ファイバアレイ６００との調心手順について説明する。光回路５００の入力光導波路５５０ａ〜５５０ｄおよび出力光導波路５６０ａ〜５６０ｄと、光ファイバアレイ６００の光ファイバ６２０ａ〜６２０ｈと、の調心を行う場合、全ての光スイッチ素子の各電極対に電圧を印加しない状態に設定し、光ファイバアレイ６００の光ファイバ６２０ｂ、６２０ｇから調心用の光信号を出射すると共に、光スプリッタ素子５４０ｂに第１の入力ポートを選択させ、光スプリッタ素子５４０ｃに第４の入力ポートを選択させる。そして、光ファイバアレイ６００を光回路５００の端面５０１に近づけ、光回路５００の入力光導波路５５０ａ〜５５０ｄおよび出力光導波路５６０ａ〜５６０ｄと、光ファイバアレイ６００の光ファイバ６２０ａ〜６２０ｈと、を結合させる。
【００８８】
光ファイバ６２０ｂと光導波路５６０ｂとが結合することにより、調心用の光信号は、光導波路５６０ｂへ入射し、光スプリッタ素子５４０ｂに入力する。光スプリッタ素子５４０ｂが第１の入力ポートを選択していることから、光スプリッタ素子５４０ｂに入力した調心用の光信号は第１の入力ポートを経由して光スイッチ素子５１０ａに入力する。光スイッチ素子５１０ａの電極対に電圧が印加されていないことから、入力した調心用の光信号は調心用光導波路５７０へ入力し、端面５０２側において強度が計測される。
【００８９】
一方、光ファイバ６２０ｇと光導波路５６０ｃとが結合することにより、調心用の光信号は、光導波路５６０ｃ、光スプリッタ素子５４０ｃ、光スイッチ素子５２０ｄおよび調心用光導波路５８０を介して外部へ出射され、端面５０２において強度が計測される。
【００９０】
そして、調心用光導波路５７０、５８０から出射された調心用光信号の強度の合計が最大となる位置で、光ファイバアレイ６００を光回路５００に接着・固定し、さらに、光スプリッタ素子５４０ａ〜５４０ｄをそれぞれ関連づける。
【００９１】
そして、調心済みの光回路３００および光ファイバアレイ４００は、通常動作時において、光信号が光ファイバアレイ６００の光ファイバ６２０ｄから出射され、出射された光信号は、入力光導波路５５０ｂを介して光スイッチ素子５３０ｂに入射し、光スイッチ素子５３０ｂの駆動状態に応じて光スイッチ素子５１０ｃまたは光スイッチ素子５２０ｃに入射する。さらに、光スイッチ素子５１０ｃまたは光スイッチ素子５２０ｃに入射した光信号は、光スイッチ素子５１０ｃ、５２０ｃの駆動状態に応じて光スプリッタ素子５４０ａまたは５４０ｂ、５４０ｃまたは５４０ｄの第３の入力ポートへ出射される。
【００９２】
上述のように、光スプリッタ素子５４０ａ〜５４０ｄは連動して動作し、４つの光スプリッタ素子５４０ａ〜５４０ｄは全て第３の入力ポートを選択していることから、光スプリッタ素子５４０ａ〜５４０ｄのいずれかの第３の入力ポートに入射した光信号は、出力光導波路５６０ａまたは５６０ｂ、５６０ｃまたは５６０ｄへ出射される。すなわち、光ファイバ６２０ｄから入射した光信号は、光回路５００において光スプリッタ素子の駆動状態に応じて出力光導波路５６０ａ〜５６０ｄのいずれかから出射され、光ファイバアレイ６００の光ファイバ６２０ａ、６２０ｂ、６２０ｇ、６２０ｈのいずれかへ入射する。
【００９３】
同様に、光ファイバアレイ６００の光ファイバ６２０ｃ、６２０ｅ、６２０ｆから出射された光信号は、光回路５００において光スプリッタ素子の駆動状態に応じて光スプリッタ素子５４０ａ〜５４０ｄのいずれかへ入射する。そして、光スプリッタ素子５４０ａ〜５４０ｄの４つの入力ポートを連動して切り替えることにより、入力光導波路５５０ａ〜５５０ｄから入射した光信号を適宜選択して光ファイバアレイ６００へ出射させることができる。
【００９４】
なお、本実施形態では調心用光導波路５７０、５８０を共に光ファイバアレイ６００と対向する端面５０２側に引き出したが、これに限定されない。調心用光導波路５７０、５８０を、光ファイバアレイ６００が配置されていない上端面側または下端面側に引き出すこともできる。また、調心用光導波路５７０、５８０の途中に分岐を設け、複数の端面に引き出すこともできる。
【００９５】
ここで、上記の実施形態では、光回路のコアをシリコンで、クラッドを石英ガラスで形成したがこれに限定されない。例えば、コアおよびクラッドを、石英ガラス、化合物半導体または有機材料等で形成することもできる。これらの材料でコアおよびクラッドを形成した場合も、上記の実施形態で説明した光回路と同様の効果を得ることができる。
【００９６】
また、上記実施形態では、ヒータを用いて光導波路を加熱することにより光スイッチ素子の光路を切り替えたが、これに限定されない。例えば、光導波路に電圧を印加したり、キャリアを注入したりすることにより、光スイッチ素子の光路を切り替えこともできる。
【００９７】
本願発明は上記実施形態に限定されるものではなく、この発明の要旨を逸脱しない範囲の設計の変更等があってもこの発明に含まれる。また、この出願は、２０１２年１月２３日に出願された日本出願特願２０１２−０１１２２８を基礎とする優先権を主張し、その開示の全てをここに取り込む。
【産業上の利用可能性】
【００９８】
光スイッチを備える回路と、このスイッチと接続される被接続部品と、を含む光装置全般に適用することができる。
【符号の説明】
【００９９】
１０、３０、４０、６０    光回路
１１、３１、４１、６１    基板
１２、３２ａ、３２ｂ    スイッチ
４２、６２ａ、６２ｂ    第１のスイッチ
４３ａ、４３ｂ、６３    第２のスイッチ
１３、３３ａ、３３ｂ、４４、６４    入力導波路
１４ａ、１４ｂ、３４ａ〜３４ｄ、４５ａ〜４５ｄ、６５ａ〜６５ｄ    出力導波路
４６ａ、４６ｂ、６６ａ、６６ｂ    接続用導波路
１５、３５ａ、３５ｂ、４７、６７ａ、６７ｂ    調整用導波路
２０    調心システム
２１    光回路
２２    被接続部品
２３    測定手段
２４    制御手段
１００、３００、５００    光回路
１１０ａ〜１１０ｄ、１２０ａ、１２０ｂ、１３０、３１０ａ〜３１０ｄ、３２０ａ、
３２０ｂ、３３０、５１０ａ〜５１０ｄ、５２０ａ〜５２０ｄ、５３０ａ〜５３０ｄ    
光スイッチ素子
１１１ａ    シリコン基板
１１２ａ    コア
１１３ａ    クラッド
１１４ａ、１１５ａ    入力ポート
１１６ａ、１１７ａ    出力ポート
１４０、３４０、５５０ａ〜５５０ｄ    入力光導波路
１５０ａ〜１５０ｈ、３５０ａ〜３５０ｈ、５６０ａ〜５６０ｄ    出力光導波路
１６０、１７０、３６０、３７０、５７０、５８０    調心用光導波路
１８０ａ〜１８０ｆ、３８０ａ〜３８０ｆ    接続光導波路
５４０ａ〜５４０ｄ    光スプリッタ素子
２００、４００、６００    光ファイバアレイ
２１０、４１０、６１０    固定用ガラスブロック
２２０ａ〜２２０ｉ、４２０ａ〜４２０ｉ、６２０ａ〜６２０ｈ    光ファイバ
【図１Ａ】
2013111562.tif 000003
【図１Ｂ】
2013111562.tif 000004
【図１Ｃ】
2013111562.tif 000005
【図２Ａ】
2013111562.tif 000006
【図２Ｂ】
2013111562.tif 000007
【図３Ａ】
2013111562.tif 000008
【図３Ｂ】
2013111562.tif 000009
【図３Ｃ】
2013111562.tif 000010
【図４】
2013111562.tif 000011
【図５】
2013111562.tif 000012
【図６】
2013111562.tif 000013
【図７】
2013111562.tif 000014
【国際調査報告】
2013111562.tif 000015
2013111562.tif 000016
2013111562.tif 000017
2013111562.tif 000018